(57)【特許請求の範囲】
【請求項１】
上面が開口するほぼ箱状のキャップの前板を側板より低寸とし、キャップの底板に、前記前板と等高をなす受片を立設するとともに、上端に前向きの係止爪を備える前部係止片と、上端に後向きの係止爪を備える後部係止片とを、キャップの所定箇所に、前後方向に離間して立設し、かつ板状をなす操作杆の前後２ヶ所に形成した取付孔の上縁に、前記前部係止片と後部係止片の係止爪を係合するとともに、前記操作杆の下面に、キャップの前板と受片の上面を当接させて、キャップを操作杆に取り付けたことを特徴とする操作杆へのキャップの取付構造。
【請求項２】
キャップに、上向突起を設け、これを、操作杆に設けた位置決め用孔に嵌合したことを特徴とする請求項１記載の操作杆へのキャップの取付構造。
【請求項３】
キャップの側板間の内側寸法と操作杆の横幅とを、ほぼ等しくしたことを特徴とする請求項１または２記載の操作杆へのキャップの取付構造。
【請求項４】
キャップの両側板の内側面に、上下方向を向く突条を設けるとともに、操作杆の横幅を、前記左右の突条の間隔とほぼ等しくしたことを特徴とする請求項１または２記載の操作杆へのキャップの取付構造。
【発明の詳細な説明】
【０００１】
【発明の属する技術分野】
本発明は、家具や機械器具等に用いられている各種の操作杆の端部に、キャップを着脱容易に取り付けた構造に関する。
【０００２】
【従来の技術】
テーブルの天板や椅子の座席の高さや傾斜角度の調節、あるいは、その他の装置における各種の調節等のために使用される操作杆の先端には、操作杆が目立つように、また操作し易いように、例えば合成樹脂製のキャップが取り付けられる。
【０００３】
従来、このキャップは、操作杆にねじ止めするか、操作杆と一体的にモールド成形されていた。
【０００４】
【発明が解決しようとする課題】
上記前者の手段によると、キャップのねじ止めに手間がかかり、後者によると、金型内へ操作杆をセットするのに時間がかかる。そのため、両者とも生産コストが高くなり、また不用になって廃棄する際、材質別に分別することが、面倒もしくは困難であった。
【０００５】
本発明は、キャップの成形や操作杆への取り付けが簡単であり、しかも廃棄する際の両者の分別を容易とした操作杆へのキャップ取付け構造を提供することを目的としている。
【０００６】
【課題を解決するための手段】
本発明は、次のようにして上記課題を解決した。
（１）  上面が開口するほぼ箱状のキャップの前板を側板より低寸とし、キャップの底板に、前記前板と等高をなす受片を立設するとともに、上端に前向きの係止爪を備える前部係止片と、上端に後向きの係止爪を備える後部係止片とを、キャップの所定箇所に、前後方向に離間して立設し、かつ板状をなす操作杆の前後２ヶ所に形成した取付孔の上縁に、前記前部係止片と後部係止片の係止爪を係合するとともに、前記操作杆の下面に、キャップの前板と受片の上面を当接させて、キャップを操作杆に取り付ける。
【０００７】
（２）  上記（１）項において、キャップに、上向突起を設け、これを、操作杆に設けた位置決め用孔に嵌合する。
【０００８】
（３）  上記（１）または（２）項において、キャップの側板間の内側寸法と操作杆の横幅とを、ほぼ等しくする。
【０００９】
（４）  上記（１）または（２）項において、キャップの両側板の内側面に、上下方向を向く突条を設けるとともに、操作杆の横幅を、前記左右の突条の間隔とほぼ等しくする。
【００１０】
【発明の実施の形態】
以下、請求項１〜３記載の発明を適用した本発明の第１の実施形態を、図１〜図４を参照しながら説明する。
【００１１】
ほぼ水平の板状の操作杆（１）の後端部（図１の左側を前方、右側を後方とする）には、円型の位置決め用孔（２）と、これを挟む前後の矩形の取付孔（３）（３）を設けてある。
【００１２】
キャップ（４）は、上面が開口する合成樹脂製のほぼ箱状をなし、その前板（５）は、左右の側板（６）（６）や後板（７）と比べて低寸となっており、側板（６）（６）同士の内側間隔は、操作杆（１）の横幅とほぼ等しくしてある。
前板（５）の上縁中央部には、上端に前向きの係合爪（８）を備える弾性撓曲可能な前部係止片（９）が立設されている。
【００１３】
キャップ（４）の底板（１０）の後端部近くには、前部係止片（９）と等高をなし、かつ上端に、後向きの係合爪（１１）を備える弾性撓曲可能な後部係止片（１２）が立設されている。
【００１４】
底板（１０）の前部には、平面視十字形をなすとともに、左右両端が側板（６）に固着された第１受片（１３）が立設されており、底板（１０）と側板（６）を補強している。第１受片（１３）の上面は、前板（５）の上面と等高をなしており、かつ第１受片（１３）の上面の中心部には、平面視十字形をなす上向突起（１４）が設けられている。
【００１５】
底板（１０）と後板（７）とが交わる角部には、上面が、前板（５）及び第１受片（１３）の上面と等高をなす、左右１対の第２受片（１５）が立設されており、底板（１０）と後板（７）との角部を補強している。
【００１６】
次に、操作杆（１）にキャップ（４）を装着する要領を、図２及び図３を参照して説明する。
【００１７】
前部を上向傾斜させたキャップ（４）を、操作杆（１）の後部下面に近づけ、前部係止片（９）の係合爪（８）を、前方の取付孔（３）の上縁に係合し、係合爪（８）と前板（５）の上面との間で、操作杆（１）を挾持する。
【００１８】
次いで、キャップ（４）の後部を持ち上げて、キャップ（４）を水平にすると、上向突起（１４）が位置決め用孔（２）に嵌合し、かつ後部係止片（１２）の係合爪（１１）が、後方の取付孔（３）を通過して、取付孔（３）の上縁に係合する。
これにより、第１受片（１３）の上面と第２受片（１５）の上面とは、操作杆（１）の下面に当接し、操作杆（１）へのキャップ（４）の装着は完了する。
【００１９】
この実施形態によれば、キャップの成形や操作杆への取り付けが簡単であり、しかも廃棄する際の両者の分別が容易であるという利点がある。
【００２０】
また、上向突起（１４）が位置決め用孔（２）に嵌合しているので、操作杆（１）に装着されたキャップ（４）に前後方向の力が掛かった場合でも、その力が、前部係止片（９）や後部係止片（１２）に伝わることはなく、前部係止片（９）や後部係止片（１２）の破損は防止される。
【００２１】
操作杆（１）の横幅と、左右の側板（６）（６）同士の間隔がほぼ等しいので、操作杆（１）に装着されたキャップ（４）に横向きの力が掛かった場合でも、その力が、前部係止片（９）や後部係止片（１２）に伝わることはなく、前部係止片（９）や後部係止片（１２）の破損は防止される。
【００２２】
キャップ（４）の前板（５）が、側板（６）や後板（７）より低寸であるので、操作杆（１）にキャップ（４）を取り付けた場合に、操作杆（１）がキャップ（４）の上方へ突出することがなく、体裁がよい。
【００２３】
次に、請求項１、２、及び４記載の発明を適用した、本発明の第２の実施形態を、図５〜図８を参照しながら説明する。
なお、第１の実施形態と同様の部材には、同じ符号を付すに止めて、その詳細な説明は省略する。
【００２４】
本実施形態の操作杆（１６）には、第１の実施形態の位置決め用孔（２）は設けられておらず、操作杆（１６）の横幅は、後述する左右の突条（１８）同士の間隔とほぼ等しくしてある。
【００２５】
キャップ（１７）には、第１の実施形態における第１受片（１３）は設けられておらず、左右の側板（６）（６）の内側面には、前後１対の上下方向を向く補強用の突条（１８）が設けられている。
【００２６】
キャップ（１７）を操作杆（１６）に装着するには、第１の実施形態と同様の要領により、前部係止片（９）と後部係止片（１２）とを、前後の取付孔（３）の上縁部に係合すればよい。
【００２７】
この実施形態においても、キャップ（１７）の成形や操作杆（１６）への取り付けは簡単であり、しかも廃棄する際の両者の分別が容易である。
【００２８】
また、キャップ（１７）を操作杆（１６）に装着すると、操作杆（１６）の側端面が、左右の突条（１８）によって挾圧されるので、操作杆（１６）に装着されたキャップ（１７）に前後方向または横向きの力が掛かった場合でも、その力が、前部係止片（９）や後部係止片（１２）に伝わることはなく、前部係止片（９）や後部係止片（１２）の破損は防止される。
【００２９】
【発明の効果】
本発明は次のような効果を奏する。
（ａ）請求項１記載の発明によると、キャップの成形や操作杆への取り付けが簡単であり、しかも廃棄する際の両者の分別が容易である。
キャップの前板が、側板等より低寸であるので、操作杆にキャップを取り付けた際に、操作杆がキャップの上方へ突出することがなく、体裁がよい。
【００３０】
（ｂ）請求項２記載の発明によると、上向突起が位置決め用孔に嵌合するので、操作杆に装着されたキャップに前後方向の力が掛かった場合でも、その力が、前部係止片及び後部係止片に掛かることはなく、前部係止片及び後部係止片の破損が防止される。
【００３１】
（ｃ）請求項３記載の発明によると、操作杆の横幅と、左右の側板同士の間隔がほぼ等しいので、操作杆に装着されたキャップに横向きの力が掛かった場合でも、その力が、前部係止片や後部係止片に掛かることはなく、前部係止片や後部係止片の破損やキャップの側方へのがたつきが防止される。
【００３２】
（ｄ）請求項４記載の発明によると、キャップを操作杆に装着した際、操作杆の側端面が、左右の突条によって挾圧されるので、操作杆に装着されたキャップに前後方向または横向きの力が掛かっても、その力が、前部係止片や後部係止片に掛かることはなく、前部係止片や後部係止片の破損やキャップのがたつきを防止できる。
【図面の簡単な説明】
【図１】本発明の第１の実施形態における操作杆からキャップを取り外したときの斜視図である。
【図２】同じく操作杆にキャップを取り付ける様子を示す中央縦断側面図である。
【図３】同じく操作杆へのキャップの取り付けた状態を示す中央縦断側面図である。
【図４】同じく操作杆へのキャップの取り付けた状態を示す平面図である。
【図５】本発明の第２の実施形態における操作杆からキャップを取り外したときの斜視図である。
【図６】同じく操作杆にキャップを取り付ける様子を示す中央縦断側面図である。
【図７】同じく操作杆へのキャップの取り付けた状態を示す中央縦断側面図である。
【図８】同じく操作杆へのキャップの取り付けた状態を示す平面図である。
【符号の説明】
（１）操作杆
（２）位置決め用孔
（３）取付孔
（４）キャップ
（５）前板
（６）側板
（７）後板
（８）係合爪
（９）前部係止片
（１０）底板
（１１）係合爪
（１２）後部係止片
（１３）第１受片
（１４）上向突起
（１５）第２受片
（１６）操作杆
（１７）キャップ
（１８）突条
【図１】
0003598483.tif 000002
【図２】
0003598483.tif 000003
【図３】
0003598483.tif 000004
【図４】
0003598483.tif 000005
【図５】
0003598483.tif 000006
【図６】
0003598483.tif 000007
【図７】
0003598483.tif 000008
【図８】
0003598483.tif 000009